(57)【要約】【課題】  厚みを薄くして良好な断熱性を確保することができ、しかも強度及び見栄え性の良好な風呂蓋を提供する。【解決手段】  芯材４の表裏両面を、耐水性及び耐熱性を備えた強度のある板状の表装材５ａ，５ｂで覆い、この表裏両面の表装材５ａ，５ｂの外周どうしの間を外包シート６で密閉し、内部を真空状態として真空断熱体２を形成し、この真空断熱体２の外周に外包シート６の上からエッジプロテクター３を装着して構成する。【選択図】  図２
2006246977.tif 000002
【特許請求の範囲】
【請求項１】
芯材の表裏両面を、耐水性及び耐熱性を備えた板状の表装材で覆い、該表裏両面の表装材の外周どうしの間を密閉して内部を真空状態とした真空断熱体を形成し、該真空断熱体の外周にエッジプロテクターを装着したことを特徴とする風呂蓋。
【請求項２】
前記表裏両面の表装材の外周どうしの間を密閉する手段が、密閉状に接着又は融着されて表裏の表装材の外周を覆う外包シートであり、該外包シートの上から前記エッジプロテクターを装着したことを特徴とする請求項１に記載の風呂蓋。
【請求項３】
前記表装材が、アルミニウム等の金属板や合成樹脂板、又はそれらを複合した強度を有する板材で構成されている請求項１又は請求項２に記載の風呂蓋。
【発明の詳細な説明】
【技術分野】
【０００１】
本発明は、浴槽の上面に覆設される風呂蓋に関するものである。
【背景技術】
【０００２】
現在主流の風呂蓋は、アルミニウム化粧板で発泡ＰＰ等をサンドイッチした構造となっているが、発泡倍率も低く肉厚も薄いため断熱性が低いという問題点があった。
断熱性を高めるために、従来、発泡ウレタン等の発泡体で構成される風呂蓋が存在するが、それらの発泡体の風呂蓋では断熱性がまだ不十分であり、断熱性を確保するためには相当の厚みが必要となり、使用しない時の置き場に困る等の問題点があった。
【０００３】
また、特許文献１に開示されているように、外板を２重構造として、外板内部を真空とすることにより、熱の伝達を少なくした風呂蓋が案出されている。
なお、特許文献２に開示されているような、２枚の外板の４周にサイドプレートを溶接して、その内部に断熱材を内蔵して真空引きした真空断熱体が存在する。
【特許文献１】特開昭６２−２０１１２５号公報
【特許文献２】特開昭６０−１１４６８０号公報
【発明の開示】
【発明が解決しようとする課題】
【０００４】
上記特許文献１に開示されているような構造の風呂蓋では、真空時に凹まないように内部に補強材を入れる必要があり、強度的に弱く製造も困難であるという問題点があった。
【０００５】
また特許文献２に開示されているような真空断熱体では、４周にサイドプレートを溶接せねばならないため製造が面倒なものとなり、外周の溶接部分の外観が悪くなるという問題点があった。
更に、真空断熱材の最近のものとして、グラスウール等を芯材とし表皮材で覆うものがあるが、表皮材が薄くて穴があきやすく、外観も悪く強度不足であった。
【課題を解決するための手段】
【０００６】
本発明は上記従来の問題点に鑑み案出したものであって、強度的に優れ、且つ見栄えも良い断熱性に優れた風呂蓋を提供するものであり、その請求項１は、芯材の表裏両面を、耐水性及び耐熱性を備えた板状の表装材で覆い、該表裏両面の表装材の外周どうしの間を密閉して内部を真空状態とした真空断熱体を形成し、該真空断熱体の外周にエッジプロテクターを装着したことである。
【０００７】
また請求項２は、前記表裏両面の表装材の外周どうしの間を密閉する手段が、密閉状に接着又は融着されて表裏の表装材の外周を覆う外包シートであり、該外包シートの上から前記エッジプロテクターを装着したことである。
【０００８】
また請求項３は、前記表装材が、アルミニウム等の金属板や合成樹脂板、又はそれらを複合した強度を有する板材で構成されていることである。
【発明の効果】
【０００９】
本発明の風呂蓋は、芯材の表裏両面を覆う表装材の外周どうしの間を密閉して内部を真空状態とした真空断熱体を形成し、真空断熱体の外周にエッジプロテクターを装着したことにより、真空断熱体の外周はエッジプロテクターで覆われて見栄え性が良いものとなり、また、真空断熱体を構成する表裏の表装材は、耐水性及び耐熱性を備えて強度が確保されており、表装材がそのまま外観部材を構成して外観が良好なものとなり、また、内部は真空状態であり、高い断熱性を確保して、厚みを薄く成形することができるものとなる。
【００１０】
また、表裏両面の表装材の外周どうしの間を密閉する手段が、密閉状に接着又は融着されて表裏の表装材の外周を覆う外包シートであり、外包シートの上からエッジプロテクターを装着したことにより、表裏の表装材の外周に外包シートを接着又は融着して、軟らかい素材の外包シートで良好に密閉することができ、その状態で真空引きして内部を真空状態にすることができ、良好に真空断熱体を形成させて、外周側にエッジプロテクターを装着して、外包シートをエッジプロテクターで保護しつつ隠すことができ、見栄え性が向上したものとなる。
【００１１】
また、表装材が、アルミニウム等の金属板や合成樹脂板、又はそれらを複合した強度を有する板材で構成されていることにより、表裏の表装材で全体の強度が確保され、また表装材が化粧処理された外観部材を構成することで、外観が極めて良好なものとなる。
【実施例】
【００１２】
以下、本発明の実施例を図面に基づいて説明する。
図１は、風呂蓋の外観図であり、この風呂蓋１は、真空断熱体２の４周にエッジプロテクター３を装着して構成されている。
この風呂蓋１は、図２の断面拡大図で示すような構造となっている。
即ち、真空断熱体２は、表裏両面に表装材５ａ，５ｂが配設され、この表装材５ａ，５ｂ間に芯材４が挟み込まれて構成されており、表装材５ａ，５ｂの外周には外包シート６が接着又は融着されて、この外包シート６で表裏両面の表装材５ａ，５ｂの外周どうしの間が密閉されたものとなっている。
【００１３】
この外包シート６の一部に、図３に示すように、真空引き路部６ａを形成させておき、この真空引き路部６ａに真空装置を接続して真空引きすることで、芯材４内の空気が抜かれ、表裏の表装材５ａ，５ｂと外包シート６で密閉された内部空間が真空状態となって真空断熱体２が形成されている。
なお、内部は０．１〜０．５Ｔｏｒｒ或いは１０−４Ｔｏｒｒの真空状態となるように真空引きされて形成されるものである。
【００１４】
なお、表裏の表装材５ａ，５ｂは、例えばアルミニウム板或いは合成樹脂板、或いはアルミニウム板と合成樹脂板の複合板で構成することができ、厚みを０．２ｍｍ以上に設定して強度を確保することができ、しかも表面は化粧処理等を施すことで、良好な外観が確保できるものである。
【００１５】
また、内部の芯材４は、例えば、厚みが５ｍｍ程度のグラスウールマット等のマット状繊維体で、型崩れしないように扁平化して構成しておくことができ、芯材４の内部に連続した空気層が形成されているため、良好に芯材４内部の空気を引き抜いて、内部を確実に真空状態にすることができるものである。
【００１６】
また、表裏の表装材５ａ，５ｂの外周を覆い密閉状とさせる外包シート６は、例えば、無延伸ポリプロピレン樹脂（ＣＰＰ）フィルム，ポリビニールアルコール樹脂（ＰＶＡ）フィルム，ポリエチレンテレフタレート（ＰＥＴ）シートを三層構造にしたもの等を用いることができる。
【００１７】
このように、表裏の表装材５ａ，５ｂの外周を外包シート６で密閉して、その状態で真空引きして内部を真空状態とした真空断熱体２を形成させておき、この真空断熱体２に対し、図３に示すように、その外周に断面略コの字状のエッジプロテクター３を、外装シート６の上から装着し、風呂蓋１を完成させることができ、外装シート６はエッジプロテクター３により完全に隠蔽されるため、風呂蓋１の外観は極めてすっきりとした美観を呈するものとなる。
【００１８】
また、表装材５ａ，５ｂは強度があり、また外周もエッジプロテクター３により補強されているため、外包シート６に孔が開いたりして内部の真空が破壊されることもなく、良好な断熱性能を維持することができ、全体の厚みを従来の発泡ウレタンよりも薄くして、より高い断熱性を確保することができるものである。
【００１９】
なお、本例では、外周に外包シート６を接着又は融着したものを例示しているが、表裏の表装材５ａ，５ｂの外周にプレートを接着，融着して外周を覆い、プレートで密閉した構造とすることもでき、外周のプレートはエッジプロテクター３で隠すことができるため、見栄えの良い風呂蓋を製造することができるものとなる。
【図面の簡単な説明】
【００２０】
【図１】風呂蓋の外観斜視図である。
【図２】風呂蓋の縦断面拡大構成図である。
【図３】表裏の表装材の外周を外包シートで密閉した真空断熱体に、更にその外周にエッジプロテクターを装着する製造過程の工程説明図である。
【符号の説明】
【００２１】
１  風呂蓋
２  真空断熱体
３  エッジプロテクター
４  芯材
５ａ，５ｂ  表装材
６  外包シート
【図１】
2006246977.tif 000003
【図２】
2006246977.tif 000004
【図３】
2006246977.tif 000005